(57)【要約】【課題】一体に形成された光学支持部を有する収納容器とこれを有するバックライトアセンブリ及び表示装置を提供する。【解決手段】ランプは光を出射する。収納容器は、底面、底面に連結された複数の側壁、及び底面の全面に突出されるように一体に形成されランプを支持するランプ支持部を具備し、底面と複数の側壁によって定義される収納空間にランプを収納する。これによって、ボトムモールドにランプサポートを一体に形成することによって、別にランプサポートを具備するのに所要される金型費用や材料費用、組立時間等を減少させることができ、製造費用を節減することができ、収納容器の背面から発生される光が漏れる現象を遮断することができる。【選択図】図１
2006185908.tif 000002
【特許請求の範囲】
【請求項１】
底面と、
前記底面のエッジから延長され一定収納空間を定義する複数の側壁と、
前記底面の内表面から突出するように一体に形成され、収納される少なくとも一つ以上の光学ユニットを支持する複数の光学ユニット支持部材とを有することを特徴とする収納容器。
【請求項２】
前記底面、側壁、及び光学ユニット支持部材は、プラスチック系の材質からなることを特徴とする請求項１に記載の収納容器。
【請求項３】
前記底面、側壁、及び光学ユニット支持部材は、ポリカボネート材質からなることを特徴とする請求項１に記載の収納容器。
【請求項４】
前記底面と側壁とが接する領域のうちの側壁の一部領域に複数の開口部分が形成されることを特徴とする請求項１に記載の収納容器。
【請求項５】
前記光学ユニット支持部材は、収納されるランプを支持するランプ支持部であることを特徴とする請求項１に記載の収納容器。
【請求項６】
前記それぞれの光学ユニット支持部材は、前記底面の内表面から突出した第１突出部材と、
前記第１突出部材に連結され、前記ランプ本体の外周面の一部を取り囲むように支持する第２突出部材とを有することを特徴とする請求項５に記載の収納容器。
【請求項７】
前記光学ユニット支持部材は、前記底面の長辺と平行になるように配置されることを特徴とする請求項５に記載の収納容器。
【請求項８】
前記光学ユニット支持部材は、前記底面の短辺と平行になるように配置されることを特徴とする請求項５に記載の収納容器。
【請求項９】
前記底面のエッジ領域には、複数のホールがさらに形成されることを特徴とする請求項１に記載の収納容器。
【請求項１０】
前記複数のホールは、前記底面の短辺に隣接して形成されることを特徴とする請求項９に記載の収納容器。
【請求項１１】
前記ホールが存在する領域のホール間の底面に、前記側壁が延長される上方向に突出した突出部材が形成されることを特徴とする請求項９に記載の収納容器。
【請求項１２】
前記底面の裏面に形成され、前記底面の曲げ強度を補強する強度補強リブ（ｒｉｂ）を更に有することを特徴とする請求項１に記載の収納容器。
【請求項１３】
収納される拡散板を支持する複数の拡散板支持部材をさらに有することを特徴とする請求項１に記載の収納容器。
【請求項１４】
前記それぞれの拡散板支持部材は、円錐形状を有することを特徴とする請求項１３に記載の収納容器。
【請求項１５】
前記収納容器は射出成型で製作され、前記底面と前記光学支持部材は一体に形成されることを特徴とする請求項１に記載の収納容器。
【請求項１６】
光を出射するランプと、
底面、該底面に連結された複数の側壁、及び前記底面の内表面から突出するように一体に形成され前記ランプを支持するランプ支持部を具備し、前記底面と複数の側壁によって定義される収納空間に前記ランプを収納する収納容器とを有することを特徴とするバックライトアセンブリ。
【請求項１７】
前記収納容器は、射出成型が可能な材質からなることを特徴とする請求項１６に記載のバックライトアセンブリ。
【請求項１８】
前記底面の内表面をカバーする反射膜を更に有することを特徴とする請求項１６に記載のバックライトアセンブリ。
【請求項１９】
前記反射膜は、アルミニウム系の材質からなることを特徴とする請求項１８に記載のバックライトアセンブリ。
【請求項２０】
前記反射膜の表面は、不規則な高さを有することを特徴とする請求項に１８に記載のバックライトアセンブリ。
【請求項２１】
前記底面から突出し前記ランプ間に延長された突出部を更に含み、前記突出部は反射膜によってカバーされていることを特徴とする請求項１８に記載のバックライトアセンブリ。
【請求項２２】
前記ランプ支持部の表面をカバーする反射膜を更に有することを特徴とする請求項１６に記載のバックライトアセンブリ。
【請求項２３】
前記底面をカバーし、前記ランプ支持部に対応した位置に開口がなされた反射シートを更に有することを特徴とする請求項１６に記載のバックライトアセンブリ。
【請求項２４】
前記収納容器は、透明な材質で形成され、前記底面の内表面と前記側壁の内側面に形成された反射層を更に有することを特徴とする請求項１６に記載のバックライトアセンブリ。
【請求項２５】
前記収納容器は、射出成型で製作され、前記底面と前記ランプ支持部は一体に形成されることを特徴とする請求項１６に記載のバックライトアセンブリ。
【請求項２６】
光を発光するランプユニットと、
前記ランプユニットから発光された光の特性を向上させ出射する拡散板と、
底面、該底面に連結された複数の側壁、前記底面の内表面から突出するように一体に形成され前記ランプユニットを支持するランプ支持部、及び底面上に一体に形成された複数の拡散板支持部材を具備し、前記底面と複数の側壁によって定義される収納空間に前記ランプを収納し、前記拡散板支持部材を通じて前記拡散板を支持する収納容器とを有することを特徴とするバックライトアセンブリ。
【請求項２７】
前記収納容器は、射出成型が可能な材質で形成されることを特徴とする請求項２６に記載のバックライトアセンブリ。
【請求項２８】
前記ランプユニットは、ランプ、及び該ランプの端部をカバーするランプホルダを有し、
前記底面と側壁とが接する領域のうちの側壁の一部領域は開口され、前記ランプホルダを収納することを特徴とする請求項２６に記載のバックライトアセンブリ。
【請求項２９】
前記収納容器は、射出成型で製作され、前記底面、ランプ支持部、及び拡散板支持部材は一体に形成されることを特徴とする請求項２６に記載のバックライトアセンブリ。
【請求項３０】
光学特性が向上された光を出射するバックライトアセンブリと、
前記光学特性が向上された光を利用して画像を表示する表示パネルと、
底面、該底面に連結された複数の側壁、及び前記底面の内表面から突出するように一体に形成され前記ランプを支持するランプ支持部を具備し、前記底面と複数の側壁によって定義される収納空間に前記バックライトアセンブリ及び表示パネルを収納する第１収納容器とを有することを特徴とする表示装置。
【請求項３１】
前記バックライトアセンブリは、ランプ、及び該ランプ上に配置された拡散板を更に有し、
前記拡散板に形成された第１拡散板陥没部と結合され、前記拡散板をガイドする第１拡散板固定部を有する第１サイドモールドと、
前記拡散板に形成された第２拡散板陥没部と結合され、前記拡散板をガイドする第２拡散板固定部を有する第２サイドモールドと、
装着される前記表示パネルを支持しながら、前記第１収納容器に締結される第２収納容器とを更に有することを特徴とする請求項３０に記載の表示装置。
【請求項３２】
前記バックライトアセンブリは、光学シート類を更に有し、
前記第１及び第２サイドモールドのそれぞれは、前記光学シート類の固定のための光学シート固定部を更に有することを特徴とする請求項３１に記載の表示装置。
【請求項３３】
前記収納容器は、射出成型で製作され、前記底面と前記ランプ支持部は一体に形成されることを特徴とする請求項３０に記載の表示装置。
【請求項３４】
ランプと、前記ランプから発散された光の特性を向上させ出射する拡散板と、底面と該底面に連結された複数の側壁、前記底面と底面に連結された複数の側壁によって定義される収納空間に前記ランプを収納して、前記底面上に一体に形成された複数の拡散板支持部材を通じて前記拡散板を支持する収納容器とを有するバックライトアセンブリと、
前記バックライトアセンブリ上に配置され、前記拡散板から提供される光を利用して画像を表示する表示パネルとを有することを特徴とする表示装置。
【請求項３５】
前記収納容器は、射出成型で製作され、前記底面及び拡散板支持部材は一体に形成されることを特徴とする請求項３４に記載の表示装置。
【請求項３６】
前記ランプを支持するために、前記底面の内表面から突出されたランプサポートを更に有し、該ランプサポート、前記底面、及び前記拡散板支持部材は、一体型に形成されることを特徴とする請求項３４に記載の表示装置。
【発明の詳細な説明】
【技術分野】
【０００１】
本発明は、収納容器とこれを有するバックライトアセンブリ及び表示装置に係り、より詳細には、一体に形成された光学支持部を有する収納容器とこれを有するバックライトアセンブリ及び表示装置に関する。
【背景技術】
【０００２】
現在、ＬＣＤ−ＴＶに採用されるバックライトアセンブリは、金属材質のボトムシャーシ上に収納されるランプアセンブリ及び各種光学シート類等で構成される。
【０００３】
しかし、ボトムシャーシが亜鉛鍍金鋼板やアルミニウム等で形成されるため、その上に部品がスクリューやフック等の方式で組立されるので、各部品の削減や一体化が不可能である。
【０００４】
これは部品削減と一体化を通じた原価節減、部品数の削減、組立工数時間短縮の側面で根本的な限界点を有している。ボトムシャーシを金属物で形成する限り、その上に組立される部品とはより以上の一体化が不可能なので、より以上の部品削減が困難であるという問題点がある。
【発明の開示】
【発明が解決しようとする課題】
【０００５】
そこで、本発明は上記従来の収納容器とこれを有するバックライトアセンブリ及び表示装置における問題点に鑑みてなされたものであって、本発明の目的は、一体に形成された光学支持部を有する収納容器とこれを有するバックライトアセンブリ及び表示装置を提供することにある。
【課題を解決するための手段】
【０００６】
上記目的を達成するためになされた本発明による収納容器は、底面と、前記底面のエッジから延長され一定収納空間を定義する複数の側壁と、前記底面の内表面から突出するように一体に形成され、収納される少なくとも一つ以上の光学ユニットを支持する複数の光学ユニット支持部材とを有することを特徴とする。
【０００７】
上記目的を達成するためになされた本発明によるバックライトアセンブリは、光を出射するランプと、底面、該底面に連結された複数の側壁、及び前記底面の内表面から突出するように一体に形成され前記ランプを支持するランプ支持部を具備し、前記底面と複数の側壁によって定義される収納空間に前記ランプを収納する収納容器とを有することを特徴とする。
【０００８】
また、上記目的を達成するためになされた本発明によるバックライトアセンブリは、光を発光するランプユニットと、前記ランプユニットから発光された光の特性を向上させ出射する拡散板と、底面、該底面に連結された複数の側壁、前記底面の内表面から突出するように一体に形成され前記ランプユニットを支持するランプ支持部、及び底面上に一体に形成された複数の拡散板支持部材を具備し、前記底面と複数の側壁によって定義される収納空間に前記ランプを収納し、前記拡散板支持部材を通じて前記拡散板を支持する収納容器とを有することを特徴とする。
【０００９】
上記目的を達成するためになされた本発明による表示装置は、光学特性が向上された光を出射するバックライトアセンブリと、前記光学特性が向上された光を利用して画像を表示する表示パネルと、底面、該底面に連結された複数の側壁、及び前記底面の内表面から突出するように一体に形成され前記ランプを支持するランプ支持部を具備し、前記底面と複数の側壁によって定義される収納空間に前記バックライトアセンブリ及び表示パネルを収納する第１収納容器とを有することを特徴とする。
【００１０】
また、上記目的を達成するためになされた本発明による表示装置は、ランプと、前記ランプから発散された光の特性を向上させ出射する拡散板と、底面と該底面に連結された複数の側壁、前記底面と底面に連結された複数の側壁によって定義される収納空間に前記ランプを収納して、前記底面上に一体に形成された複数の拡散板支持部材を通じて前記拡散板を支持する収納容器とを有するバックライトアセンブリと、前記バックライトアセンブリ上に配置され、前記拡散板から提供される光を利用して画像を表示する表示パネルとを有することを特徴とする。
【発明の効果】
【００１１】
本発明に係る収納容器、これを有するバックライトアセンブリ、並びにこれを有する表示装置によれば、金属材質に対して相対的に安価な材質で一体に形成されたランプサポートを有するボトムモールドを具現することによって、別にランプサポートを具備するのに所要される金型費や材料費、組立時間等を減少させることができ、製造費用を節減することができるという効果がある。
【００１２】
又、従来にはランプサポートとボトムシャーシとの締結を通じて背面で光が漏れる現象が発生されたが、本発明によれば、ランプサポートがボトムモールドに一体に形成されることによって、前記光が漏れる現象を遮断することができるという効果がある。
又、金属材質に対して相対的に軽い材質でボトムモールドを具現することによって、バックライトアセンブリの重量及びバックライトアセンブリを採用する液晶表示装置の重量を減少させることができるという効果がある。
又、材質が射出成型可能な材質なので、金属材質に対してバックライトアセンブリの締結後に発生されるラトルノイズ（ｒａｔｔｌｅ  ｎｏｉｓｅ）を減少させることができるという効果がある。
【００１３】
又、本発明によれば、金属材質に対して相対的に安価な材質で一体に形成された拡散板支持部材を有するボトムモールドを具現することによって、別に拡散板支持部材を具備するのに所要される金型費や材料費、組立時間等を減少させることができ、製造費用を節減することができるという効果がある。
【００１４】
又、従来には、拡散板支持部材とボトムシャーシとの締結を通じて背面で光が漏れる現象が発生されたが、本発明によれば、拡散板支持部材がボトムモールドに一体に形成されるので、前記光が漏れる現象を遮断することができるという効果がある。
又、金属材質に対して相対的に軽い材質でボトムモールドを具現することによって、バックライトアセンブリの重量及びバックライトアセンブリを採用する液晶表示装置の重量を減少させることができるという効果がある。
又、材質が射出成型可能な材質なので、金属材質に対してバックライトアセンブリの締結後に発生されるラトルノイズを減少させることができるという効果がある。
【発明を実施するための最良の形態】
【００１５】
次に、本発明に係る収納容器、これを有するバックライトアセンブリ、並びにこれを有する表示装置を実施するための最良の形態の具体例を図面を参照しながら説明する。
【実施例１】
【００１６】
図１は、本発明の第１の実施例による液晶表示装置の分解斜視図である。特に、直下型ランプユニットを有する液晶表示装置の分解斜視図である。
【００１７】
図１を参照すると、液晶表示装置は、液晶を通じて光の透過量を調節して、電気的形態を有する画像信号を目で認識することができるようにディスプレイするディスプレイユニット１００、及びディスプレイユニット１００に光を提供するためのバックライトアセンブリ２００で構成される。
【００１８】
ディスプレイユニット１００は、液晶を利用して画像を表示するための液晶パネル１１０、液晶パネル１１０に駆動信号を印加するための駆動ＰＣＢ１２０、１３０、及び液晶パネル１１０と駆動ＰＣＢ１２０、１３０とを互いに連結させながら液晶表示装置の平面積を減少させるＴＣＰ１４０、１５０を含む。
【００１９】
具体的には、駆動ＰＣＢ１２０、１３０は、液晶パネル１１０のデータライン側に付着されたデータＰＣＢ１２０、及びゲートライン側に付着されたゲートＰＣＢ１３０で構成され、ＴＣＰは、データ側ＴＣＰ１４０とゲート側ＴＣＰ１５０で構成される。
【００２０】
液晶パネル１１０は画面を具現し、薄膜トランジスタ（以下、ＴＦＴ）基板１１１、ＴＦＴ基板１１１と向かい合うカラーフィルタ基板１１３、及びＴＦＴ基板１１１とカラーフィルタ基板１１３との間に注入された液晶層（図示せず）で構成される。ＴＦＴ基板１１１はアレイ基板と呼ばれる基板であって、スイッチング素子であるＴＦＴ（図示せず）がマトリックス形態で配列された透明なガラス基板である。ＴＦＴのソース及びゲート端子には、それぞれデータ及びゲートラインが連結され、ドレイン端子には、透明な導電性材質であるインジウム・ティン・オキサイド（以下、ＩＴＯと記す）からなる画素電極が形成される。
【００２１】
カラーフィルタ基板１１３は、通過される光によって所定の色で発現される色画素であるＲＧＢ画素と、ＲＧＢそれぞれの色画素間に形成されコントラストを向上させるためのブラックマトリックス層が薄膜工程によって形成された基板である。カラーフィルタ基板１１３の全面には、ＩＴＯからなる共通電極が塗布されている。
【００２２】
液晶パネル１１０に形成されたデータラインは、データ側ＴＣＰ１４０を通じてデータＰＣＢ１２０と電気的に連結され、ゲートラインはゲート側ＴＣＰ１５０を通じてゲートＰＣＢ１３０と電気的に連結される。従って、外部から電気的な信号を受信したデータ及びゲートＰＣＢ１２０、１３０は、ディスプレイユニット１００の駆動及び駆動時期を制御するための駆動信号及びタイミング信号を、データ側及びゲート側ＴＣＰ１４０、１５０を通じて液晶パネルのＴＦＴ基板１１１に具備されるゲートライン及びデータラインにそれぞれ伝送する。
【００２３】
一方、バックライトアセンブリ２００は、光を発生するランプユニット２１０、ランプユニット２１０の上部に配置されランプユニット２１０から提供された光を均一な輝度分布を有するように拡散させ出射する拡散板２３０、及びランプユニット２１０の下部に配置されランプユニット２１０から提供される光を拡散板２３０の方に反射するランプ反射板２２０で構成される。
【００２４】
図１に示すように、それぞれのランプユニット２１０は、ランプとランプホルダを含む。それぞれのランプホルダは、ランプの縦端部をカバーする。図示したそれぞれのランプホルダは、一つのランプの縦端部をカバーするが、隣接する二つ又はその以上のランプの縦端部をカバーすることもできる。
ランプユニット２１０は、並列に配置された棒形状（Ｉ字形状）の複数のランプであることを図示したが、Ｕ字形状のランプ、Ｓ字形状のランプが使用されることもできる。Ｕ字形状のランプは、例えば、二つの互いに平行な発光部と発光部を連結する屈曲部を含む。選択的に、必要に応じて、Ｕ字形状のランプ、Ｓ字形状のランプの屈曲部をカバーするように適切にデザインされたランプホルダーを含むことができる。又、ランプは、ランプ電極が内部に具備されたＣＣＦＬ、又はランプ電極が外部に具備されたＥＥＦＬを使用することができる。又、光源としてランプユニット２１０は、多様な形状に配置された発光ダイオード（ＬＥＤ）に代替することもできる。
【００２５】
ランプ２１０、ランプ反射板２２０、及び拡散板２３０は、収納容器類に収納され外部の衝撃から保護及び固定される。収納容器類は、第１サイドモールド２４２、第２サイドモールド２４６、ボトムモールド２５０、及びアッパーモールド２６０で構成される。第１及び第２サイドモールド２４２、２４６、ボトムモールド２５０及びアッパーモールド２６０は、射出成型が可能な材質で形成され、射出成型装置によって製造される。第１及び第２サイドモールド２４２、２４６は、他の成型方法でも製造することができる。ボトムモールド２５０は、ランプ反射板２２０、複数のランプ２１０、第１及び第２サイドモールド２４２、２４６を収納する。ボトムモールド２５０は、ポリカボネート（ＰＣ）で形成することができる。ポリカボネートは、射出成型性と熱的耐久性、衝撃信頼性等の機械的信頼性が非常に優れた材質である。また、ボトムモールド２５０は、その他の材質で製作することもできる。
【００２６】
ボトムモールド２５０のフロント面（内表面）には、ランプ２１０を支持するランプサポート２５１ａが配置される。ランプサポート２５１ａは、ボトムモールド２５０のフロント面で図１に示した方向軸の＋ｚ軸方向に突出するように形成する。即ち、ランプサポート２５１ａは、ボトムモールド２５０のフロント面と垂直な方向に突出形成される。また、ランプサポート２５１ａは、ボトムモールド２５０と一体に形成することもできる。
即ち、ボトムモールド２５０の製造工程を通じてランプサポート２５１ａを一体形成することができる。ランプサポート２５１ａは、装着されるＩ字形状のランプ２１０の本体を支持する。ランプサポート２５１ａはクリップ形状に形成され、ランプは、ランプサポート２５１ａの上部から挿入され固定される。ランプ２１０の断面は、例えば、円形なので、クリップもそれに対応して円形に形成される。ランプサポート２５１ａに対応して反射板２２０には、ホール２２２が形成される。従って、反射板２２０がボトムモールド２５０に配置される時、ランプサポート２５１ａはホール２２２を貫通する。
【００２７】
ボトムモールド２５０の裏面には、ＦＰＣＢ１２１を通じてデータＰＣＢ１２０と連結されるコントロールＰＣＢ２７０が配置される。ＦＰＣＢ１２１は、コントロールＰＣＢ２７０に具備されたコネクタ（図示せず）に挿入され、コントロールＰＣＢ２７０から液晶パネル１１０の駆動のための信号の供給を受けて、データＰＣＢ１２０に供給する。
【００２８】
図１では、外部から流入される混入物がコントロールＰＣＢ２７０に悪影響を及ぼすことを遮断するために、コントロールＰＣＢ２７０をカバーしながら、ボトムモールド２５０に締結される基板カバーの図示を省略した。
【００２９】
拡散板２３０上には、アッパーモールド２６０が配置される。アッパーモールド２６０は拡散板２３０と接して、拡散板２３０を第１及び第２サイドモールド２４２、２４６側に加圧しながら固定する。又、アッパーモールド２６０上には、液晶パネル１１０が装着される。液晶パネル１１０に連結されたデータＰＣＢ１２０は、ボトムモールド２５０の側壁に配置することもでき、ボトムモールド２５０の裏面に配置することもできる。
また、液晶パネル１１０に連結されたゲートＰＣＢ１３０は、ボトムモールド２５０の側壁に配置することもでき、ボトムモールド２５０の裏面に配置することもできる。
【００３０】
前記拡散板２３０上に装着された前記ディスプレイユニット１００が外部に離脱されることを防止するために、前記液晶パネル１１０の上部には、上／下面が開口され、断面が「┐」形状のトップシャーシ４００が配置される。即ち、トップシャーシ４００は、４個の側壁と中心部が開口したフレーム形状のプレートを含む。側壁の上部とプレートの外側部が連結される。トップシャーシ４００は、液晶パネル１１０の周辺部を加圧して、ボトムモールド２５０との結合を通じて、液晶パネル１１０をボトムモールド２５０に固定する。
【００３１】
以上、説明したように、一般的に金属材質であるボトムシャーシを射出成型物であるボトムモールドに変更してランプサポートを一体に形成することによって、バックライトアセンブリ及び液晶表示装置の製造原価及び重量を減少させることができる。
【００３２】
図２は、図１に図示したサイドモールドの一部分を拡大した斜視図である。説明の便宜のために、第２サイドモールド２４６を図示する。
【００３３】
図２を参照すると、第２サイドモールド２４６の上部面２４７には、拡散板２３０及び各種光学シート類が装着される。説明の便宜のために、光学シート類は省略し、拡散板２３０のみが装着されたところを図示した。
【００３４】
第２サイドモールド２４６の上部面２４７には、第２拡散板固定部２４８、及び第２光学シート固定部２４９がそれぞれ配置される。
【００３５】
第２拡散板固定部２４８は、第２サイドモールド２４６の上部面２４７から突出するように形成され、拡散板２３０の第２拡散板陥没部２３１との結合を通じて、拡散板２３０をガイドしながら拡散板２３０の動きを制止する。図２において、第２拡散板固定部２４８及び第２拡散板陥没部２３１が四角形として図示したが、第２拡散板固定部２４８及び第２拡散板陥没部２３１の形状は、多様に変形することができる。例えば、第２拡散板固定部２４８及び第２拡散板陥没部２３１の形状は、円形、又は鋸の歯形状等の多様な変形が可能である。
【００３６】
第２光学シート固定部２４９は、第２拡散板固定部２４８の上部面の上に突出するように形成され、光学シート類に形成された溝と結合して、光学シートの動きを制止する。ここで、第２光学シート固定部２４９は、第２拡散板固定部２４８の上部面ではない第２サイドモールド２４６の上部面２４７に形成することもできる。図２において、第２拡散シート固定部２４９の断面の形状は円形に図示したが、これに限定されず、多様な変形が可能である。それによって、光学シート類に形成される溝も第２拡散シート固定部２４９の形状に対応して、多様な変形が可能である。
【００３７】
図示していないが、第１サイドモールド２４２にも、第２サイドモールドと同様に拡散板２３０の第１拡散板陥没部と結合され拡散板２３０をガイドする第１拡散板固定部、及び光学シート固定部が形成されることは自明である。第１拡散板固定部と第２拡散板固定部は、互いに向かい合うように配置することもでき、互いにずれるように配置することもできる。図１では、第１サイドモールド２４２及び第２サイドモールド２４６にそれぞれ一つの第１拡散板固定部及び第２拡散板固定部２４８を形成したが、一つ以上の拡散板固定部を形成することもできる。
【００３８】
図３は、図１に図示したボトムモールドの正面斜視図である。図４は、図１に図示したボトムモールドの裏面斜視図である。
【００３９】
図１、図３、図４を参照すると、本実施例によるボトムモールド２５０は、底面２５１、底面２５１のフロント面（内表面）から図１に示した方向軸の＋ｚ軸方向に突出したランプサポート２５１ａ、底面２５１から延長され、＋ｚ軸方向に突出し、一定の収納空間を定義する第１、第２、第３、及び第４側壁２５２、２５３、２５４、２５５、及び底面２５１の裏面に形成され、−ｚ軸方向に突出し、底面２５１の曲げ強度を補強する第１及び第２リブ２５１ｂ、２５１ｃを含む。底面２５１、ランプサポート２５１ａ、第１、第２、第３、及び第４側壁２５２、２５３、２５４、２５５、及び第１及び第２リブ２５１ｂ、２５１ｃは、同じ射出成型工程を通じて一体に形成することができる。
【００４０】
第１側壁２５２は、底面２５１の第１エッジから延長されながら、＋ｚ軸方向に突出する。第１側壁２５２は、−ｘ軸方向に突出した突出部２５２ａを含む。互いに隣接する突出部２５２ａ間には、底面２５１のエッジ領域に開口された複数のホール２５２ｂが形成される。複数のホール２５２ｂには、ランプの端部をカバーするランプホルダが収納される。
【００４１】
第２側壁２５３は第１側壁２５２の一側と連結され、底面の第２エッジから延長されながら、＋ｚ軸方向に突出する。第２側壁２５３上部には、複数のホール２５３ａが形成される。複数のホール２５３ａを通じてボトムモールド２５０は、アッパーモールド２６０と締結される。
【００４２】
第３側壁２５４は第２側壁２５３の一側と連結され、底面２５１の第３エッジから延長されながら、＋ｚ軸方向に突出する。第３側壁２５４は、＋ｘ軸方向に突出した突出部２５４ａを含む。互いに隣接する突出部２５４ａ間には、底面２５１のエッジ領域に開口された複数のホール２５４ｂが形成される。複数のホール２５４ｂのそれぞれには、ランプホルダがそれぞれ収納される。
【００４３】
第４側壁２５５は、第１側壁２５２の他側及び第３側壁２５４の他側にそれぞれ連結され、底面２５１の第４エッジから延長されながら、＋ｚ軸方向に突出する。第４側壁２５５上部には複数のホール２５５ａが形成される。複数のホール２５５ａを通じてボトムモールド２５０はアッパーモールド２６０と締結される。
【００４４】
第１リブ２５１ｂは、第１側壁２５２及び第３側壁２５４と平行になるよう底面２５１の裏面に複数個が形成され、ｙ軸方向の曲げ強度を補強する。
【００４５】
第２リブ２５１ｃは、第２側壁２５３及び第４側壁２５５と平行になるよう底面２５１の裏面に複数個が形成され、ｘ軸方向の曲げ強度を補強する。
【００４６】
上述で、底面２５１の曲げ強度を補強するために、第１及び第２リブ２５１ｂ、２５１ｃを底面２５１の裏面に形成することを図示したが、図３のボトムモールド２５０で第１リブ２５１ｂを省略することもでき、第２リブ２５１ｃを省略することもでき、第１及び第２リブ２５１ｂ、２５１ｃを省略することもできる。又、第１リブ２５１ｂ及び第２リブ２５１ｃの外に、ボトムモールド２５０はリブを更に含むこともできる。
【００４７】
図５は、図３に図示したボトムモールドをＩ−Ｉ’線に沿って切断した断面図である。特に、底面の内表面に形成されたランプサポート２５１ａを有するボトムモールドを図示する。
【００４８】
図５を参照すると、底面２５１の内表面には、＋ｚ軸方向に突出し、ランプの本体を支持するランプサポート２５１ａが形成される。ランプサポート２５１ａは、底面の内表面から＋ｚ軸方向に突出した支持部材２５１ａ１と、支持部材２５１ａ１から−ｙ軸及び＋ｚ軸方向に延長された第１羽根部材２５１ａ２と、支持部材２５１ａ１から＋ｙ軸及び＋ｚ軸方向に延長された第２羽根部材２５１ａ３を含む。第１羽根部材２５１ａ２と第２羽根部材２５１ａ３は、装着されるランプの本体を支持する。第１羽根部材２５１ａ２と第２羽根部材２５１ａ３は、ランプ本体を収納するために、Ｕ字形状に形成される。第１羽根部材２５１ａ２と第２羽根部材２５１ａ３のそれぞれは、ランプ本体の外周の形状に対応して曲面に形成される。
【００４９】
底面２５１のエッジから延長された第１側壁２５２は、＋ｚ軸方向に突出した第１部材２５２ｃと、第１部材２５２ｃと連結されながら＋ｘ軸方向に突出した第２部材２５２ｄと、第２部材２５２ｄと連結されながら−ｚ軸方向に突出した第３部材２５２ｅを含む。図５では、第１部材２５２ｃが底面２５１から９０°の角度を有して突出したところを図示したが、９０°よりは小さく鋭角を有して突出させることもできる。
【００５０】
底面２５１のエッジから延長された第２側壁２５３は、＋ｚ軸方向に突出した第４部材２５３ｂと、第４部材２５３ｂと連結されながら−ｙ軸方向に突出した第５部材２５３ｃと、第５部材２５３ｃと連結されながら−ｚ軸方向に突出した第６部材２５３ｄを含む。第５部材２５３ｃには、アッパーモールド２６０との締結のための複数のホール２５３ａが形成される。図５では、第４部材２５３ｂが底面２５１から９０°の角度を有して突出したところを図示したが、９０°よりは小さい鋭角を有して突出させることもできる。
【００５１】
底面２５１の裏面には、ボトムモールド２５０の強度を補強するために、第１側壁２５２と平行になるようｙ軸方向に延長された第１リブ２５１ｂと、第２側壁２５３と平行になるようｘ軸方向に延長された第２リブ２５１ｃが形成される。図５では、ボトムモールドのｙ軸方向の強度を補強するために、第１リブ２５１ｂが形成され、ｘ軸方向の強度を補強するために、第２リブ２５１ｃが形成されているところを図示したが、いずれか一つのリブのみを形成することもできる。又、第１及び第２リブ２５１ｂ、２５１ｃを省略することもできる。
【００５２】
図６は、図１に図示したボトムモールドを正面から見た平面図である。図７は、図１に図示したアッパーモールドを裏面から見た平面図である。
【００５３】
図１乃至図７を参照すると、アッパーモールド２６０は、４個の側壁で定義されるフレーム形状を有する。４個の側壁のうち、ｙ軸方向と平行な２個の側壁２６２、２６４には、第１及び第２サイドモールド２４２、２４６に形成された光学シート固定部２４９との締結のためのホール２６２ａ、２６４ａが形成される。光学シート固定部２４９との締結のためのホール２６２ａ、２６４ａは、アッパーモールド２６０に形成されているが、アッパーモールド２６０に光学シート固定部２４９を形成し、側壁２４２、２４６にホール２６２ａ、２４６ａを形成することもできる。
【００５４】
アッパーモールド２６０は、側壁からそれぞれ延長されながら、内側方向に突出した段差部と、段差部から−ｚ軸方向に突出された第１乃至第６フック締結部２６３ａ１、２６３ａ２、２６３ａ３、２６５ａ１、２６５ａ２、２６５ａ３を含み、ボトムモールド２５０に形成された第１乃至第６締結ホール２５３ａ１、２５３ａ２、２５３ａ３、２５５ａ１、２５５ａ２、２５５ａ３にそれぞれフック結合する。段差部は、＋ｚ軸から−ｚ軸方向に順次に積層される光学シート類を支持する。光学シート類は、拡散シート、集光シート、及び保護シートを含む。第１乃至第６フック締結部２６３ａ１、２６３ａ２、２６３ａ３、２６５ａ１、２６５ａ２、２６５ａ３はアッパーモールド２６０に形成され、第１乃至第６締結ホール２５３ａ１、２５３ａ２、２５３ａ３、２５５ａ１、２５５ａ２、２５５ａ３は、ボトムモールド２５０に形成されているが、第１乃至第６フック締結部２６３ａ１、２６３ａ２、２６３ａ３、２６５ａ１、２６５ａ２、２６５ａ３をボトムモールド２５０に形成し、第１乃至第６締結ホール２５３ａ１、２５３ａ２、２５３ａ３、２５５ａ１、２５５ａ２、２５５ａ３をアッパーモールド２６０に形成することもできる。
【実施例２】
【００５５】
図８は、本発明の第２の実施例によるボトムモールドの一部領域を抜粋した断面斜視図である。特に、底面の内表面にランプサポートと、互いに隣接するランプサポート間にプリズム形状の突出部が形成されたボトムモールドを図示する。
【００５６】
図８を参照すると、底面３５１の内表面には、＋ｚ軸方向に突出し、ランプの本体を支持する第１及び第２ランプサポート３５１ａ、３５１ｂと、第１及び第２ランプサポート３５１ａ、３５１ｂ間に形成された突出部３５１ｃが形成される。図面において、突出部３５１ｃは１個のみが図示されているが、１個以上の突出部３５１ｃが底面３５１の内表面に形成することができる。更に、突出部３５１ｃは、第２側壁３５３と平行になるように図示しているが、第１側壁３５２と平行になるように形成することもできる。ランプサポート３５１ａは、図４に示すように、底面の内表面から＋ｚ軸方向に突出した支持部材と、支持部材から−ｙ軸及び＋ｚ軸方向に延長された第１羽根部材と、支持部材から＋ｙ軸及び＋ｚ軸方向に延長された第２羽根部材を含む。第１羽根部材と第２羽根部材は、Ｕ字形状を定義しながら装着されるランプの本体を支持する。突出部３５１ｃは、ｘ軸方向に延長される。突出部３５１ｃは、底面３５１の強度を補強する役割を行う。又、突出部３５１ｃ上には、シート形状の反射板が配置されることによって、互いに隣接するランプ間で発生する暗部を最小化する役割を果たす。図８では、互いに隣接する第１ランプサポート３５１ａと第２ランプサポート３５１ｂが同じライン上に配置されるところを図示したが、交互に配置することもできる。
【００５７】
底面３５１のエッジから延長された第１側壁３５２は、＋ｚ軸方向に突出した第１部材３５２ｃと、第１部材３５２ｃと連結されながら＋ｘ軸方向に突出した第２部材３５２ｄと、第２部材３５２ｄと連結されながら−ｚ軸方向に突出した第３部材３５２ｅを含む。図８では、第１部材３５２ｃが底面３５１から９０°の角度を有して突出したところを図示したが、９０°よりは小さい鋭角を有して突出させることもできる。
【００５８】
底面３５１のエッジから延長された第２側壁３５３は、＋ｚ軸方向に突出した第４部材３５３ｂと、第４部材３５３ｂと連結されながら−ｙ軸方向に突出した第５部材３５３ｃと、第５部材３５３ｃと連結されながら−ｚ軸方向に突出した第６部材３５３ｄを含む。第５部材３５３ｃには、第１及び第２サイドモールド２４２、２４６との締結のための複数のホール３５３ａが形成される。図８では、第４部材３５３ｂが底面３５１から９０°の角度を有して突出したところを図示したが、９０°よりは小さい鋭角を有して突出させることもできる。
【００５９】
底面３５１の裏面には、第１側壁３５２と平行になるようｙ軸方向に延長された第１リブ３５１ｄと、第２側壁３５３と平行になるようｘ軸方向に延長された第２リブ３５１ｅが形成される。
【００６０】
第１側壁３５２は、第１突出部３５２ａを含む。第１突出部３５２ａは、第２側壁３５３と平行に延長される。複数のホール３５２ｂが底面３５１を貫通して形成される。ランプユニット２１０の長手方向の端部をカバーするランプホルダは、ホール３５２ｂに挿入することができる。
【実施例３】
【００６１】
図９は、本発明の第３の実施例によるボトムモールドの一部領域を抜粋した断面斜視図である。特に、底面の内表面に形成されたランプサポートと拡散板支持部材を具備するボトムモールド４５０を図示する。
【００６２】
図９を参照すると、底面４５１の内表面には＋ｚ軸方向に突出し、ランプの本体を支持する第１及び第２ランプサポート４５１ａ、４５１ｂと、後に装着される拡散板の支持のために、第１及び第２ランプサポート４５１ａ、４５１ｂ間に拡散板支持部材４５１ｃが形成される。図面では、第１及び第２ランプサポート４５１ａ、４５１ｂのみが図示されているが、一つ以上の図８に示した突出部３５１ｃを底面４５１に形成することもできる。更に、突出部３５１ｃは第２側壁４５３と平行に形成するか、又は第１側壁４５２と平行に形成することもできる。又、更に、一つ以上の拡散板支持部材４５１ｃを形成することもできる。
【００６３】
ランプサポート４５１ａは、図４に示すように、底面の内表面から＋ｚ軸方向に突出した支持部材と、支持部材から−ｙ軸及び＋ｚ軸方向に延長された第１羽根部材と、支持部材から＋ｙ軸及び＋ｚ軸方向に延長された第２羽根部材を含む。第１羽根部材と第２羽根部材は、Ｕ字形状を定義しながら装着されるランプの本体を支持する。図９では、互いに隣接する第１ランプサポート４５１ａと第２ランプサポート４５１ｂが同じライン上に配置されているところを図示したが、交互に配置することもできる。
【００６４】
拡散板支持部材４５１ｃは、ボトムモールド４５０に一体に形成された円錐形状のボス（ｂｏｓｓ：突起）で形成され、装着される拡散板２３０を支持する。勿論、拡散板支持部材４５１ｃは、ピラミッド形状、六面体形状、三角錐形状等の多様な形状で作成すること可能である。拡散板支持部材４５１ｃに対応して反射板２２０には、ホール２２２が形成される。
【００６５】
底面４５１のエッジから延長された第１側壁４５２は、＋ｚ軸方向に突出した第１部材４５２ｃと、第１部材４５２ｃと連結されながら＋ｘ軸方向に突出した第２部材４５２ｄと、第２部材４５２ｄと連結されながら−ｚ軸方向に突出した第３部材４５２ｅを含む。図９では、第１部材４５２ｃが底面４５１から９０°の角度を有して突出したところを図示したが、９０°よりは小さい鋭角を有して突出させることもできる。
【００６６】
底面４５１のエッジから延長された第２側壁４５３は、＋ｚ軸方向に突出した第４部材４５３ｂと、第４部材４５３ｂと連結されながら−ｙ軸方向に突出した第５部材４５３ｃと、第５部材４５３ｃと連結されながら−ｚ軸方向に突出した第６部材４５３ｄを含む。
【００６７】
第５部材４５３ｃには、第１及び第２サイドモールド２４２、２４６との締結のための複数のホール４５３ａが形成される。
【００６８】
図９では、第４部材４５３ｂが底面４５１から９０°の角度を有して突出したところを図示したが、９０°よりは小さい鋭角を有して突出させることもできる。
【００６９】
底面４５１の裏面には、第１側壁４５２と平行になるようにｙ軸方向に延長された第１リブ４５１ｄと、第２側壁４５３と平行になるようにｘ軸方向に延長された第２リブ４５１ｅが形成される。
【実施例４】
【００７０】
図１０は、本発明の第４の実施例による液晶表示装置の分解斜視図である。特に、直下型ランプユニットを有する液晶表示装置の分解斜視図である。
【００７１】
図１０を参照すると、液晶表示装置は、液晶を通じて光の透過量を調節して、電気的形態を有する画像信号を目で認識することができるようにディスプレイするディスプレイユニット１００と、ディスプレイユニット１００に光を提供するためのバックライトアセンブリ５００で構成される。図１と比較して、同じ構成要素には同じ図面符号を付与して、その説明は省略する。
【００７２】
バックライトアセンブリ５００は、光を発生する一つ以上のランプ５１０、ランプ５１０の上部に配置されランプ５１０から提供された光を均一な輝度分布を有するように光を拡散させ出射する拡散板５３０と、ランプ５１０の下部に配置されランプ５１０から提供される光を拡散板５３０の方向に反射するランプ反射板５２０で構成される。
【００７３】
ランプ５１０、ランプ反射板５２０、及び拡散板５３０は、収納容器類に収納され外部の衝撃から保護及び固定される。収納容器類は、ミドルモールド５４０、ボトムモールド５５０、及びアッパーモールド５６０で構成される。ミドルモールド５４０、ボトムモールド５５０、及びアッパーモールド５６０は射出成型が可能な材質で形成され、射出成型装置によって製造される。また、ミドルモールド５４０、ボトムモールド５５０、及びアッパーモールド５６０は、他の方法で製造することもできる。
【００７４】
ミドルモールド５４０は、ランプ５１０を収納して指定された位置に固定させる。ミドルモールド５４０の上部に形成された段差部５４１には、拡散板５３０が装着される。
【００７５】
ボトムモールド５５０は、射出成型装置によって製造される射出成型可能な材質で形成され、ランプ反射板５２０、複数のランプ５１０、及びミドルモールド５４０を収納する。ボトムモールド５５０は、ポリカボネートからなることが好ましい。その理由は、前記ポリカボネートは、射出成型性と熱的耐久性、衝撃信頼性等の機械的信頼性が非常に優れた材質であるためである。また、ボトムモールド５５０は、ポリカボネートと類似な性質を有する物質で形成することもできる。
【００７６】
ボトムモールド５５０の内表面には、拡散板５３０を支持する拡散板支持部材５５１ａが一体に形成される。拡散板支持部材５５１ａは円錐形状のボスで形成され、装着される拡散板５３０を支持する。勿論、拡散板支持部材５５１ａは、ピラミッド形状、六面体形状、三角錐形状等の多様な形状で作成が可能である。多数の拡散板支持部材５５１ａは、ボトムモールド５５０の内表面に拡散板５３０を支持するように分散配置され、拡散板５３０を平に支持する。例えば、二つの拡散板支持部材５５１ａを含む拡散板支持部材列は、隣接するランプ５１０の間に配置され、隣接する拡散板支持部材列に含まれた拡散板支持部材５５１ａは、オフセットするように配置される。拡散板支持部材５５１ａに対応して、反射板５２０にはホール５２２が形成される。従って、反射板５２０がボトムモールド５５０に結合される時、拡散板支持部材５５１ａは、反射板５２０のホール５２２を貫通する。
【００７７】
ボトムモールド５５０の裏面には、ＦＰＣＢ１２１を通じてデータＰＣＢ１２０と連結されるコントロールＰＣＢ５７０が配置される。ＦＰＣＢ１２１は、コントロールＰＣＢ５７０に具備されたコネクタ（図示せず）に挿入され、コントロールＰＣＢ５７０から液晶パネル１１０の駆動のための信号の供給を受けて、データＰＣＢ１２０に供給する。
【００７８】
図１０では、外部から流入する混入物がコントロールＰＣＢ５７０に悪影響を及ぼすことを遮断するために、コントロールＰＣＢ５７０をカバーしながら、ボトムモールド５５０に締結される基板カバーの図示を省略した。
【００７９】
拡散板５３０上には、アッパーモールド５６０が提供される。アッパーモールド５６０は、拡散板５３０と接して拡散板５３０をミドルモールド５４０側に加圧しながら固定する。又、アッパーモールド５６０上には、液晶パネル１１０が装着される。この際、液晶パネル１１０に連結されたデータＰＣＢ１２０は、ボトムモールド５５０の側壁に配置することもでき、ボトムモールド５５０の裏面に配置することもできる。
【００８０】
ゲートＰＣＢ１３０は、ボトムモールド５５０の側壁に配置することもでき、ボトムモールド５５０の裏面に配置することもできる。
【００８１】
その後、拡散板５３０上に装着されたディスプレイユニット１００が外部に離脱することを防止するために、液晶パネル１１０の上部には、上／下面が開口され、断面が「┐」形状のトップシャーシ４００が提供される。トップシャーシ４００は、液晶パネル１１０の周辺部を加圧して、ボトムモールド５５０との結合を通じて液晶パネル１１０をボトムモールド５５０に固定する。
【００８２】
以上で説明したように、一般的に金属材質であるボトムシャーシを、射出成型物であるボトムモールドに変更しながら拡散板を支持する拡散板支持部材であるボスを一体に形成することによって、バックライトアセンブリ及び液晶表示装置の製造原価及び重量を減少させることができる。
【００８３】
図１１は、図１０に図示したボトムモールドの正面斜視図である。図１２は、図１０に図示したボトムモールドの裏面斜視図である。
【００８４】
図１０乃至図１２を参照すると、本実施例によるボトムモールド５５０は、底面５５１、底面５５１の（内表面）から＋ｚ軸方向に突出した拡散板支持部材５５１ａ、底面５５１から延長され、＋ｚ軸方向に突出し、一定収納空間を定義する第１、第２、第３、及び第４側壁５５２、２５３、２５４、２５５、及び底面５５１の裏面に形成され、−ｚ軸方向に突出し、底面５５１の曲げ強度を補強する第１及び第２リブ５５１ｂ、２５１ｃを含む。
【００８５】
第１側壁５５２は、底面５５１の第１エッジから延長されながら、＋ｚ軸方向に突出する。第１側壁５５２は、−ｘ軸方向に突出した突出部５５２ａを含む。互いに隣接する突出部５５２ａの間には、底面５５１のエッジ領域が開口された複数のホール５５２ｂが形成される。複数のホール５５２ｂには、ランプの端部をカバーするランプホルダが収納される。
【００８６】
第２側壁５５３は第１側壁５５２の一側と連結され、底面の第２エッジから延長されながら、＋ｚ軸方向に突出する。第２側壁５５３上部には、複数のホール５５３ａが形成される。複数のホール５５３ａには、ミドルモールド５４０が締結される。
【００８７】
第３側壁５５４は第２側壁５５３の一側と連結され、底面５５１の第３エッジから延長されながら、＋ｚ軸方向に突出する。第３側壁５５４は、＋ｘ軸方向に突出した突出部５５４ａを含む。互いに隣接する突出部５５４ａの間には、底面５５１のエッジ領域が開口された複数のホール５５４ｂが形成される。複数のホール５５４ｂには、ランプホルダが収納される。
【００８８】
第４側壁５５５は、第１側壁５５２の他側及び第３側壁５５４の他側にそれぞれ連結され、底面５５１の第４エッジから延長されながら、＋ｚ軸方向に突出する。第４側壁５５５上部には、複数のホール５５５ａが形成される。複数のホール５５５ａには、ミドルモールド５４０が締結される。
【００８９】
第１リブ５５１ｂは、第１側壁５５２及び第３側壁５５４と平行になるよう底面５５１の裏面に複数個形成され、ｘ軸方向の曲げ強度を補強する。
【００９０】
第２リブ５５１ｃは、第２側壁５５３及び第４側壁５５５と平行になるよう底面５５１の裏面に複数個形成され、ｙ軸方向の曲げ強度を補強する。
【００９１】
上述で、底面５５１の曲げ強度を補強するために、第１及び第２リブ５５１ｂ、２５１ｃを底面５５１の裏面に形成したことを図示したが、図１２のボトムモールド５５０で第１リブ５５１ｂを省略することもでき、第２リブ５５１ｃを省略することもでき、第１及び第２リブ５５１ｂ、２５１ｃを省略することもできる。
【００９２】
図１３は、図１１に図示したボトムモールドをＩＩ−ＩＩ’線に沿って切断した断面図である。特に、底面の内表面に形成された拡散板支持部材５５１ａを有するボトムモールドを図示する。
【００９３】
図１３を参照すると、底面５５１の内表面には＋ｚ軸方向に突出し、拡散板を支持する拡散板支持部材５５１ａが形成される。拡散板支持部材５５１ａは円錐形状に形成され、装着される拡散板を支持する。
【００９４】
底面５５１のエッジから延長された第１側壁５５２は、＋ｚ軸方向に突出した第１部材５５２ｃと、第１部材５５２ｃと連結されながら＋ｘ軸方向に突出した第２部材５５２ｄと、第２部材５５２ｄと連結されながら−ｚ軸方向に突出した第３部材５５２ｅを含む。図１３では、第１部材５５２ｃが底面５５１から９０°の角度を有して突出したところを図示したが、９０°よりは小さい鋭角を有して突出させることもできる。
【００９５】
底面５５１のエッジから延長された第２側壁５５３は、＋ｚ軸方向に突出した第４部材５５３ｂと、第４部材５５３ｂと連結されながら−ｙ軸方向に突出した第５部材５５３ｃと、第５部材５５３ｃと連結されながら−ｚ軸方向に突出した第６部材５５３ｄを含む。第５部材５５３ｃには、ミドルモールド５４０との締結のための複数のホール５５３ａが形成される。図１３では、第４部材５５３ｂが底面５５１から９０°の角度を有して突出したところを図示したが、９０°よりは小さい鋭角を有して突出させることもできる。
【００９６】
底面５５１の裏面には、第１側壁５５２と平行になるようｙ軸方向に延長された第１リブ５５１ｂと、第２側壁５５３と平行になるようｘ軸方向に延長された第２リブ５５１ｃが形成される。
【００９７】
尚、本発明は、上述の実施例に限られるものではない。本発明の技術的範囲から逸脱しない範囲内で多様に変更実施することが可能である。
【図面の簡単な説明】
【００９８】
【図１】本発明の第１の実施例による液晶表示装置の分解斜視図である。
【図２】図１に図示した第１サイドモールドの一部分を拡大した斜視図である。
【図３】図１に図示したボトムモールドの正面斜視図である。
【図４】図１に図示したボトムモールドの裏面斜視図である。
【図５】図３に図示したボトムモールドをＩ−Ｉ’線に沿って切断した一部領域を抜粋した断面斜視図である。
【図６】図１に図示したボトムモールドを正面から見た平面図である。
【図７】図１に図示したアッパーモールドを裏面から見た平面図である。
【図８】本発明の第２の実施例によるボトムモールドの一部領域を抜粋した断面斜視図である。
【図９】本発明の第３の実施例によるボトムモールドの一部領域を抜粋した断面斜視図である。
【図１０】本発明の第４の実施例による液晶表示装置の分解斜視図である。
【図１１】図１０に図示したボトムモールドの正面斜視図である。
【図１２】図１０に図示したボトムモールドの裏面斜視図である。
【図１３】図１１に図示したボトムモールドをＩＩ−ＩＩ’線に沿って切断した一部領域を抜粋した断面斜視図である。
【符号の説明】
【００９９】
１００        ディスプレイユニット
１１０        液晶パネル
１１１        ＴＦＴ基板
１１３        カラーフィルタ基板
１２０        データＰＣＢ（駆動ＰＣＢ）
１３０        ゲートＰＣＢ（駆動ＰＣＢ）
１４０        データ側ＴＣＰ
１５０        ゲート側ＴＣＰ
２００、５００    バックライトアセンブリ
２１０、５１０    ランプ（ランプユニット）
２２０、５２０    ランプ反射板
２３０、５３０    拡散板
２５０、５５０    ボトムモールド
２５１ａ      ランプサポート
２５１ｂ、２５１ｃ  第１及び第２リブ
２５２ａ、２５４ａ  突出部
２５２ｂ、２５４ｂ  ホール
２６０、５６０    アッパーモールド
３５１ｃ      突出部
４００        トップシャーシ
４５１ｃ      拡散板支持部材
５４０        ミドルモールド
【図１】
2006185908.tif 000003
【図２】
2006185908.tif 000004
【図３】
2006185908.tif 000005
【図４】
2006185908.tif 000006
【図５】
2006185908.tif 000007
【図６】
2006185908.tif 000008
【図７】
2006185908.tif 000009
【図８】
2006185908.tif 000010
【図９】
2006185908.tif 000011
【図１０】
2006185908.tif 000012
【図１１】
2006185908.tif 000013
【図１２】
2006185908.tif 000014
【図１３】
2006185908.tif 000015